(57)【要約】【課題】  簡単な構成で、しかも通風抵抗を増大させることなく、エアフィルターの清掃を行い得るようにする。【解決手段】  室内空気Ｗを吸い込む空気吸込口９に矩形形状の吸込グリル１１を設けるとともに、該吸込グリル１１の内方に室内空気Ｗ中の塵埃等を捕捉するエアフィルター１２を配設してなる空気調和機用室内機において、前記吸込グリル１１における角隅部１１ｃに、排出口１９を形成するとともに、該排出口１９から前記エアフィルター１２の吸込側に対向して形成された吸引口１６に至る吸引空気通路１７を形成して、エアフィルター１２に付着している塵埃が吸引口１６から吸引空気通路１７を介して排出口１９に吸引されることとし、室内機内の構造をあまり変更することなく、エアフィルター１２の清掃が容易に行えるようにしている。【選択図】        図１
2006292363.tif 000002
【特許請求の範囲】
【請求項１】
室内空気（Ｗ）を吸い込む空気吸込口（９）に矩形形状の吸込グリル（１１）を設けるとともに、該吸込グリル（１１）の内方に室内空気（Ｗ）中の塵埃等を捕捉するエアフィルター（１２）を配設してなる空気調和機用室内機であって、前記吸込グリル（１１）における角隅部（１１ｃ）には、排出口（１９）を形成するとともに、該排出口（１９）から前記エアフィルター（１２）の吸込側に対向して形成された吸引口（１６）に至る吸引空気通路（１７）を形成したことを特徴とする空気調和機用室内機。
【請求項２】
天井（Ｃ）に形成された開口（３）の上方に吊下支持された空気調和機本体（１）と、該空気調和機本体（１）および前記開口（３）を覆う化粧パネル（２）とを備え、該化粧パネル（２）には、矩形形状の吸込グリル（１１）を有する空気吸込口（９）と、該吸込グリル（１１）の内方に位置して室内空気（Ｗ）中の塵埃等を捕捉するエアフィルター（１２）とを配設してなる空気調和機用室内機であって、前記化粧パネル（２）における一つの角隅部（２ａ）には、電気掃除機の吸込ノズル（１４）を嵌挿する挿入口（１５）を形成するとともに、該挿入口（１５）から前記エアフィルター（１２）の吸込側に対向して形成された吸引口（１６）に至る吸引空気通路（１７）を形成したことを特徴とする空気調和機用室内機。
【請求項３】
前記吸引口（１６）を、前記吸込グリル（１１）を構成する多数の桟（１１ｂ），（１１ｂ）・・に形成するとともに、前記吸引空気通路（１７）の一部を、前記吸込グリル（１１）を構成する外周枠（１１ａ）および桟（１１ｂ），（１１ｂ）・・に形成したことを特徴とする前記請求項１および２のいずれか一項記載の空気調和機用室内機。
【請求項４】
前記エアフィルター（１２）をフィルター面に平行な方向に往復移動させる移動手段（Ａ）を付設したことを特徴とする前記請求項１、２および請求項３のいずれか一項記載の空気調和機用室内機。
【発明の詳細な説明】
【技術分野】
【０００１】
本願発明は、空気調和機用室内機に関し、さらに詳しくはエアフィルターの清掃機構を備えた空気調和機用室内機に関するものである。
【背景技術】
【０００２】
従来から良く知られている空気調和機用室内機（例えば、天井埋込式の空気調和機）は、図４に示すように、天井Ｃに形成された開口３の上方に吊下支持された空気調和機本体１と、該空気調和機本体１および前記開口３を覆う化粧パネル２とを備えており、前記空気調和機本体１内には、熱交換器４、ドレンパン５、ファンモータ６、ファン（例えば、ターボファン）７、ベルマウス８等が配設される一方、前記化粧パネル２には、その中央部に位置する空気吸込口９と、該空気吸込口９に近接してその外側に位置する４個の空気吹出口１０，１０・・とが形成されている。そして、前記空気吸込口９には、吸込グリル１１が開閉自在に装着され、該吸込グリル１１の内方の吸込空気流路１３には、室内空気Ｗ中の塵埃を捕捉するエアフィルター１２が着脱自在に取り付けられている。
【０００３】
上記構成の空気調和機の運転時には、室内空気Ｗが、空気吸込口９から吸込グリル１１およびエアフィルター１２を通り、ベルマウス８に案内されてファン７に吸入されて付勢され、熱交換器４を通過する過程において冷却あるいは加熱されて調和空気Ｗ′となって空気吹出口１０，１０・・から室内へ吹き出される。
【０００４】
ところで、空気調和機の累積運転時間が長くなると、エアフィルター１２が室内空気Ｗから捕捉した塵埃によって目詰まりを起こし、吸込空気量が減少するという事態に至る。すると、空気調和機の能力が低下するとともに、ファン７の負担も増加するという不具合が生ずるため、例えば所定の累積運転時間が経過した時点で、フィルター目詰まりサインを出し、ユーザにエアフィルター１２の清掃を促すこととなっている。
【０００５】
上記エアフィルターの清掃は、脚立等に乗って吸込グリル１１を開き、この状態でエアフィルター１２を取り外すことにより行われ、エアフィルター１２の清掃後には上記と逆の手順によりこれらを組み付けることとされている。従って、エアフィルター１２の取り外しおよび取り付けは高所作業となり、しかも、エアフィルター１２が大形の場合には作業に危険が伴うのみならず、エアフィルター１２の清掃に多大な時間および手数を要するという不具合があった。
【０００６】
そこで、エアフィルターに対応してそのフィルター面の全面に付着している塵埃を吸引して清掃する掃除機構を内蔵した空気調和機が提案されている（特許文献１参照）。
【０００７】
【特許文献１】特開平９−１８４６５６号公報。
【発明の開示】
【発明が解決しようとする課題】
【０００８】
ところが、上記特許文献１に開示されている空気調和機の場合、エアフィルターの掃除機構を空気調和機に組み込む構成となっているため、構造が複雑化するとともに、機内抵抗を増大させるおそれがある。
【０００９】
本願発明は、上記の点に鑑みてなされたもので、簡単な構成で、しかも通風抵抗を増大させることなく、エアフィルターの清掃を行い得るようにすることを目的とするものである。
【課題を解決するための手段】
【００１０】
本願発明では、上記課題を解決するための第１の手段として、室内空気Ｗを吸い込む空気吸込口９に矩形形状の吸込グリル１１を設けるとともに、該吸込グリル１１の内方に室内空気Ｗ中の塵埃等を捕捉するエアフィルター１２を配設してなる空気調和機用室内機において、前記吸込グリル１１における角隅部１１ｃに、排出口１９を形成するとともに、該排出口１９から前記エアフィルター１２の吸込側に対向して形成された吸引口１６に至る吸引空気通路１７を形成している。
【００１１】
上記のように構成したことにより、エアフィルター１２に付着している塵埃が吸引口１６から吸引空気通路１７を介して排出口１９に吸引されることとなる。従って、室内機内の構造をあまり変更することなく、エアフィルター１２の清掃が容易に行えることとなるのである。しかも、排出口１５を矩形形状の吸込グリル１１におけるデッドスペースとなっている角隅部に形成しているので、空気調和機や空気調和機を取り付ける相手部材（例えば、天井など）の取付スペースを大きくする必要がなくなる。
【００１２】
本願発明では、上記課題を解決するための第２の手段として、天井Ｃに形成された開口３の上方に吊下支持された空気調和機本体１と、該空気調和機本体１および前記開口３を覆う化粧パネル２とを備え、該化粧パネル２に、矩形形状の吸込グリル１１を有する空気吸込口９と、該吸込グリル１１の内方に位置して室内空気Ｗ中の塵埃等を捕捉するエアフィルター１２とを配設してなる空気調和機用室内機において、前記化粧パネル２における一つの角隅部２ａに、電気掃除機の吸込ノズル１４を嵌挿する挿入口１５を形成するとともに、該挿入口１５から前記エアフィルター１２の吸込側に対向して形成された吸引口１６に至る吸引空気通路１７を形成している。
【００１３】
上記のように構成したことにより、挿入口１５に電気掃除機の吸込ノズル１４を嵌挿するだけで、エアフィルター１２に付着している塵埃が吸引口１６から吸引空気通路１７を介して電気掃除機に吸引されることとなる。従って、室内機内の構造をあまり変更することなく、エアフィルター１２の清掃が容易に行えることとなるのである。しかも、挿入口１５を化粧パネル２におけるデッドスペースとなっている角隅部に形成しているので、空気調和機や空気調和機を取り付ける相手部材（例えば、天井など）の取付スペースを大きくする必要がなくなる。
【００１４】
本願発明では、さらに、上記課題を解決するための第３の手段として、上記第１又は第２の手段を備えた空気調和機用室内機において、前記吸引口１６を、前記吸込グリル１１を構成する多数の桟１１ｂ，１１ｂ・・に形成するとともに、前記吸引空気通路１７の一部を、前記吸込グリル１１を構成する外周枠１１ａおよび桟１１ｂ，１１ｂ・・に形成することもでき、そのように構成した場合、吸込グリル１１の構造を少し変更するだけでよくなり、構造をより一層簡略化できる。
【００１５】
本願発明では、さらに、上記課題を解決するための第４の手段として、上記第１、第２又は第３の手段を備えた空気調和機用室内機において、前記エアフィルター１２をフィルター面に平行な方向に往復移動させる移動手段Ａを付設することもでき、そのように構成した場合、吸引口１６，１６・・と対向するフィルター面が移動することとなり、エアフィルター１２の全面からの塵埃除去が可能となる。
【発明の効果】
【００１６】
本願発明の第１の手段によれば、室内空気Ｗを吸い込む空気吸込口９に矩形形状の吸込グリル１１を設けるとともに、該吸込グリル１１の内方に室内空気Ｗ中の塵埃等を捕捉するエアフィルター１２を配設してなる空気調和機用室内機において、前記吸込グリル１１における角隅部１１ｃに、排出口１９を形成するとともに、該排出口１５から前記エアフィルター１２の吸込側に対向して形成された吸引口１６に至る吸引空気通路１７を形成して、エアフィルター１２に付着している塵埃が吸引口１６から吸引空気通路１７を介して排出口１５に吸引されるようにしたので、室内機内の構造をあまり変更することなく且つ通風抵抗を増大させることなく、しかも空気調和機の運転を停止することなく、エアフィルター１２の清掃が短時間で行えるという効果がある。しかも、排出口１５を矩形形状の吸込グリル１１におけるデッドスペースとなっている角隅部に形成しているので、空気調和機や空気調和機を取り付ける相手部材（例えば、天井など）の取付スペースを大きくする必要がなくなるという効果もある。なお、天井埋込式の空気調和機用室内機に採用した場合、高所作業が不要となり、作業性が向上するとともに安全性も確保できる。
【００１７】
本願発明の第２の手段によれば、天井Ｃに形成された開口３の上方に吊下支持された空気調和機本体１と、該空気調和機本体１および前記開口３を覆う化粧パネル２とを備え、該化粧パネル２に、矩形形状の吸込グリル１１を有する空気吸込口９と、該吸込グリル１１の内方に位置して室内空気Ｗ中の塵埃等を捕捉するエアフィルター１２とを配設してなる空気調和機用室内機において、前記化粧パネル２における一つの角隅部２ａに、電気掃除機の吸込ノズル１４を嵌挿する挿入口１５を形成するとともに、該挿入口１５から前記エアフィルター１２の吸込側に対向して形成された吸引口１６に至る吸引空気通路１７を形成して、挿入口１５に電気掃除機の吸込ノズル１４を嵌挿するだけで、エアフィルター１２に付着している塵埃が吸引口１６から吸引空気通路１７を介して電気掃除機に吸引されるようにしたので、室内機内の構造をあまり変更することなく且つ通風抵抗を増大させることなく、しかも空気調和機の運転を停止することなく、エアフィルター１２の清掃が短時間で行えるという効果がある。しかも、挿入口１５を化粧パネル２におけるデッドスペースとなっている角隅部に形成しているので、空気調和機や空気調和機を取り付ける相手部材（例えば、天井など）の取付スペースを大きくする必要がなくなる。なお、天井埋込式の空気調和機用室内機に採用した場合、高所作業が不要となり、作業性が向上するとともに安全性も確保できる。
【００１８】
本願発明の第３の手段におけるように、上記第１又は第２の手段を備えた空気調和機用室内機において、前記吸引口１６を、前記吸込グリル１１を構成する多数の桟１１ｂ，１１ｂ・・に形成するとともに、前記吸引空気通路１７の一部を、前記吸込グリル１１を構成する外周枠１１ａおよび桟１１ｂ，１１ｂ・・に形成することもでき、そのように構成した場合、吸込グリル１１の構造を少し変更するだけでよくなり、構造をより一層簡略化できる。
【００１９】
本願発明の第４の手段におけるように、上記第１、第２又は第３の手段を備えた空気調和機用室内機において、前記エアフィルター１２をフィルター面に平行な方向に往復移動させる移動手段Ａを付設することもでき、そのように構成した場合、吸引口１６，１６・・と対向するフィルター面が移動することとなり、エアフィルター１２の全面からの塵埃除去が可能となる。
【発明を実施するための最良の形態】
【００２０】
以下、添付の図面を参照して、本願発明の好適な実施の形態について詳述する。
【００２１】
本実施の形態にかかる空気調和機用室内機は、従来技術の項において説明したものと同様な構成の天井埋込式室内機とされている（図４参照）。
【００２２】
即ち、天井Ｃに形成された開口３の上方に吊下支持された空気調和機本体１と、該空気調和機本体１および前記開口３を覆う化粧パネル２とを備えており、前記空気調和機本体１内には、熱交換器４、ドレンパン５、ファンモータ６、ファン（例えば、ターボファン）７、ベルマウス８等が配設される一方、前記化粧パネル２には、その中央部に位置する空気吸込口９と、該空気吸込口９に近接してその外側に位置する４個の空気吹出口１０，１０・・とが形成されている。そして、前記空気吸込口９には、吸込グリル１１が開閉自在に装着され、該吸込グリル１１の内方の吸込空気流路１３には、室内空気Ｗ中の塵埃を捕捉するエアフィルター１２が着脱自在に取り付けられている。
【００２３】
前記化粧パネル２は、四角形形状とされており、その一つのコーナ部２ａ（即ち、空気吸込口９の口縁部）下面には、電気掃除機の吸込ノズル１４（図３参照）を嵌挿する挿入口１５が形成されている。
【００２４】
一方、前記吸込グリル１１は、矩形状の中空な外周枠１１ａと、該外周枠１１ａの対向辺間に架設される多数の中空な桟１１ｂ，１１ｂ・・とからなっており、該桟１１ｂ，１１ｂ・・には、前記エアフィルター１２の吸込側に対向する多数の吸引口１６，１６・・が形成されている。そして、前記排出口１５から前記吸引口１６，１６・・に至る間には、吸引空気通路１７が形成されている。つまり、前記外周枠１１ａ内および桟１１ｂ，１１ｂ・・内は、吸引空気通路１７の一部を構成する枠内通路２０および桟内通路２１，２１・・（後述する）を構成することとなっているのである。
【００２５】
前記吸引空気通路１７は、前記排出口１５から前記化粧パネル２内を通って空気吸込口９の口縁に至るパネル内通路１８と、該パネル内通路１８の内端と前記吸込グリル１１を構成する外周枠１１ａ内とを接続するフレキシブルチューブ１９と、前記吸込グリル外周枠１１ａ内に形成された枠内通路２０と、前記桟１１ｂ，１１ｂ・・内に形成された桟内通路２１とからなっている（図２および図３参照）。前記フレキシブルチューブ１９は、吸込グリル１１の外周枠１１ａにおいて前記パネル内通路１８の内端と対応する角隅部１１ｃに接続されており、吸引空気通路１７の排出口を構成している。符号２６はパネル内通路１８内に設けられた逆止弁であり、通常時には図示しない付勢手段により閉弁され、清掃時には電気掃除機の吸引力により開弁されることとなっている。
【００２６】
また、前記吸込グリル１１における外周枠１１ａに適所（例えば、フレキシブルチューブ１９が接続される角隅部１１ｃと対角位置の角隅部１１ｄ近傍）には、ピニオン２２を駆動軸（図示省略）に枢支した可逆モータ２３が配設される一方、前記エアフィルター１２の枠体１２ａにおいて前記ピニオン２２と対応する位置には、該ピニオン２２と噛合するラック２４が設けられている。つまり、前記ピニオン２２、可逆モータ２３およびラック２４は、前記エアフィルター１２をフィルター面に平行な方向に往復移動させる移動手段Ａを構成することとなっている。符号２５はエアフィルター１２を移動時に案内するフィルターガイドである。
【００２７】
上記のように構成された空気調和機用室内機においては、次のような作用効果が得られる。
【００２８】
空気調和機の運転時には、室内空気Ｗが、空気吸込口９から吸込グリル１１およびエアフィルター１２を通り、ベルマウス８に案内されてファン７に吸入されて付勢され、熱交換器４を通過する過程において冷却あるいは加熱されて調和空気Ｗ′となって空気吹出口１０，１０・・から室内へ吹き出される。
【００２９】
そして、空気調和機の累積運転時間が長くなると、エアフィルター１２が室内空気Ｗから捕捉した塵埃によって目詰まりを起こすので、例えば所定の累積運転時間が経過した時点で、フィルター目詰まりサインが出される。
【００３０】
上記フィルター目詰まりサインが出されると、電気掃除機の吸込ノズル１４を排出口１５に嵌挿し、その状態で電気掃除機を作動させる。同時に、移動手段Ａを構成する可逆モータ２３を作動させる。すると、電気掃除機の吸引力により逆止弁２６が開作動し、吸引空気通路１７が開通され、吸引口１６，１６・・からエアフィルター１２に付着している塵埃が空気とともに吸引除去される。このとき、可逆モータ２３が所定時間間隔で可逆駆動され、ピニオン２２とラック２４との噛合によりエアフィルター１２がフィルター面に平行に往復移動される。従って、吸引口１６，１６・・と対向するエアフィルター１２のフィルター面が所定時間間隔で往復移動されることとなり、エアフィルター１２の全面に付着している塵埃が吸引除去されることとなる。
【００３１】
上記したように、本実施の形態においては、床面においた電気掃除機の吸込ノズル１４を排出口１５に嵌挿するだけで、エアフィルター１２の清掃が可能となり、高所作業を行わなくて済むし、エアフィルター１２の着脱等の面倒な作業も不要となる。しかも、吸込グリル１１を開放することなく且つエアフィルター１２を取り外すことなく、エアフィルター１２の清掃が行えるため、清掃中においても空気調和機の運転を継続できる。さらに、エアフィルター１２の清掃が短時間で行えるところから、作業能率が向上することとなり、メンテナンス費用の低減も可能となる。
【図面の簡単な説明】
【００３２】
【図１】本願発明の実施の形態にかかる空気調和機用室内機における化粧パネルの分解斜視図である。
【図２】図１のＩＩ−ＩＩ拡大部分断面図である。
【図３】本願発明の実施の化粧にかかる空気調和機用室内機における化粧パネルと吸込グリルとの関係を示す部分拡大図である。
【図４】一般的な空気調和機用室内機である天井埋込式空気調和機用室内機の縦断面図である。
【符号の説明】
【００３３】
１は空気調和機本体
２は化粧パネル
９は空気吸込口
１１は吸込グリル
１２はエアフィルター
１３は吸込空気流路
１５は排出口
１６は吸引口
１７は吸引空気通路
１８はパネル内通路
１９は排出口（フレキシブルチューブ）
２０は枠内通路
２１は桟内通路
２２はピニオン
２３は可逆モータ
２４はラック
Ａは移動手段
Ｗは室内空気
【図１】
2006292363.tif 000003
【図２】
2006292363.tif 000004
【図３】
2006292363.tif 000005
【図４】
2006292363.tif 000006